(57)【特許請求の範囲】
【請求項１】
無線通信のために第１のユーザ機器（ＵＥ）によって動作可能な方法であって、
ピアＵＥを発見することと、
前記ピアＵＥとのピア・トゥ・ピア（Ｐ２Ｐ）通信のための第１のメトリックを決定することと、
セルラ・ネットワークにおける基地局と通信するための第２のメトリックを決定することと、
前記ピアＵＥとのＰ２Ｐ通信のための長期的なチャネル利得を決定することと、
前記基地局と通信するための長期的なチャネル利得を決定することと、
前記ピアＵＥとのＰ２Ｐ通信のための前記長期的なチャネル利得と前記基地局と通信するための前記長期的なチャネル利得との間の差分を示すチャネル差分を決定することと、
Ｐ２Ｐ通信のために前記ピアＵＥと関連付けを行うか、セルラ・ネットワーク通信のために前記基地局と関連付けを行うかを、前記第１のメトリック、前記第２のメトリックおよび前記チャネル差分に基づいて決定することと、
を備える方法。
【請求項２】
前記第１のメトリックを決定することは、
前記ピアＵＥからＰ２Ｐ信号を受信することと、
前記受信したＰ２Ｐ信号の受信電力の測定を行なうことと、
前記測定に基づいて、前記第１のメトリックを決定することと、
を備える請求項１に記載の方法。
【請求項３】
前記第１のメトリックを決定することは、前記第１のＵＥにおいて、前記ピアＵＥの受信電力に基づいて、前記第１のメトリックを決定することを備え、
前記第２のメトリックを決定することは、前記第１のＵＥにおいて、前記基地局の受信電力に基づいて、前記第２のメトリックを決定することを備える、請求項１に記載の方法。
【請求項４】
前記第１のメトリックを決定することは、前記ピアＵＥと前記第１のＵＥとの間の経路喪失に基づいて、前記第１のメトリックを決定することを備え、
前記第２のメトリックを決定することは、前記基地局と前記第１のＵＥとの間の経路喪失に基づいて、前記第２のメトリックを決定することを備える、請求項１に記載の方法。
【請求項５】
前記第１のメトリックを決定することは、前記第１のＵＥにおいて、前記ピアＵＥのキャリア対干渉比（Ｃ／Ｉ）に基づいて前記第１のメトリックを決定することを備え、
前記第２のメトリックを決定することは、前記第１のＵＥにおいて、前記基地局のＣ／Ｉに基づいて前記第２のメトリックを決定することを備える、請求項１に記載の方法。
【請求項６】
前記第１のメトリックを決定することは、前記ピアＵＥに関するチャネル品質に関連する測定に基づいて前記第１のメトリックを決定することを備え、
前記第２のメトリックを決定することは、前記基地局に関するチャネル品質に関連する測定に基づいて前記第２のメトリックを決定することを備える、請求項１に記載の方法。
【請求項７】
前記第１のメトリックまたは前記第２のメトリックは、前記基地局よりも前記ピアＵＥとの関連付けを好むように選択されたオフセットに基づいて決定される、請求項１に記載の方法。
【請求項８】
前記第１のメトリックまたは前記第２のメトリックは、前記ピアＵＥよりも前記基地局との関連付けを好むように選択されたオフセットに基づいて決定される、請求項１に記載の方法。
【請求項９】
前記基地局からパラメータを受信することと、
前記基地局から受信したパラメータに基づいて、前記第１のメトリック、または前記第２のメトリック、またはこれら両方を決定することと、をさらに備える請求項１に記載の方法。
【請求項１０】
前記第１のメトリックは、前記ピアＵＥと前記第１のＵＥとの間の経路喪失に関連し、
前記第２のメトリックは、前記基地局と前記第１のＵＥとの間の経路喪失に関連し、
前記ピアＵＥと関連付けを行うか、前記基地局と関連付けを行うかを決定することは、
前記ピアＵＥと前記第１のＵＥとの間の経路喪失が、前記基地局と前記第１のＵＥとの間の経路喪失未満であり、前記チャネル差分がしきい値より大きい場合、前記ピアＵＥと関連付けを行うことと、
前記ピアＵＥとの関連付けが選択されていない場合、前記基地局と関連付けを行うこととを備える、請求項１に記載の方法。
【請求項１１】
前記ピアＵＥの長期的なキャリア対干渉比（Ｃ／Ｉ）を決定することと、
前記基地局の長期的なＣ／Ｉを決定することと、
前記ピアＵＥの長期的なＣ／Ｉと前記基地局の長期的なＣ／Ｉとにさらに基づいて、前記ピアＵＥと関連付けを行うか、または前記基地局と関連付けを行うかを決定することと、
をさらに備える請求項１に記載の方法。
【請求項１２】
前記基地局はマクロ基地局を備える、請求項１に記載の方法。
【請求項１３】
前記基地局は、フェムト基地局、ピコ基地局、および中継局のうちの１つを備える、請求項１に記載の方法。
【請求項１４】
無線通信のための装置であって、
ピア・ユーザ機器（ＵＥ）を発見し、
前記ピアＵＥとのピア・トゥ・ピア（Ｐ２Ｐ）通信のための第１のメトリックを決定し、
セルラ・ネットワークにおける基地局と通信するための第２のメトリックを決定し、
前記ピアＵＥとのＰ２Ｐ通信のための長期的なチャネル利得を決定し、
前記基地局と通信するための長期的なチャネル利得を決定し、
前記ピアＵＥとのＰ２Ｐ通信のための前記長期的なチャネル利得と前記基地局と通信するための前記長期的なチャネル利得との間の差分を示すチャネル差分を決定し、
Ｐ２Ｐ通信のために前記ピアＵＥと関連付けを行うか、セルラ・ネットワーク通信のために前記基地局と関連付けを行うかを、前記第１のメトリック、前記第２のメトリックおよび前記チャネル差分に基づいて決定する
ように構成された少なくとも１つのプロセッサと、
前記少なくとも１つのプロセッサに接続され、データを格納するためのメモリと、を備える装置。
【請求項１５】
前記少なくとも１つのプロセッサは、
前記ピアＵＥからＰ２Ｐ信号を受信することと、
前記受信したＰ２Ｐ信号の受信電力の測定を行なうことと、
前記測定に基づいて、前記第１のメトリックを決定することと
によって、前記第１のメトリックを決定する、請求項１４に記載の装置。
【請求項１６】
前記少なくとも１つのプロセッサは、前記第１のＵＥにおいて、前記ピアＵＥの受信電力に基づいて、前記第１のメトリックを決定することによって前記第１のメトリックを決定し、
前記少なくとも１つのプロセッサは、前記第１のＵＥにおいて、前記基地局の受信電力に基づいて、前記第２のメトリックを決定することによって前記第２のメトリックを決定する、請求項１４に記載の装置。
【請求項１７】
無線通信のための装置であって、
ピア・ユーザ機器（ＵＥ）を発見する手段と、
前記ピアＵＥとのピア・トゥ・ピア（Ｐ２Ｐ）通信のための第１のメトリックを決定する手段と、
セルラ・ネットワークにおける基地局と通信するための第２のメトリックを決定する手段と、
前記ピアＵＥとのＰ２Ｐ通信のための長期的なチャネル利得を決定する手段と、
前記基地局と通信するための長期的なチャネル利得を決定する手段と、
前記ピアＵＥとのＰ２Ｐ通信のための前記長期的なチャネル利得と前記基地局と通信するための前記長期的なチャネル利得との間の差分を示すチャネル差分を決定する手段と、
Ｐ２Ｐ通信のために前記ピアＵＥと関連付けを行うか、セルラ・ネットワーク通信のために前記基地局と関連付けを行うかを、前記第１のメトリック、前記第２のメトリックおよび前記チャネル差分に基づいて決定する手段と、
を備える装置。
【請求項１８】
ピア・ユーザ機器（ＵＥ）を発見することと、
前記ピアＵＥとのピア・トゥ・ピア（Ｐ２Ｐ）通信のための第１のメトリックを決定することと、
セルラ・ネットワークにおける基地局と通信するための第２のメトリックを決定することと、
前記ピアＵＥとのＰ２Ｐ通信のための長期的なチャネル利得を決定することと、
前記基地局と通信するための長期的なチャネル利得を決定することと、
前記ピアＵＥとのＰ２Ｐ通信のための前記長期的なチャネル利得と前記基地局と通信するための前記長期的なチャネル利得との間の差分を示すチャネル差分を決定することと、
Ｐ２Ｐ通信のために前記ピアＵＥと関連付けを行うか、セルラ・ネットワーク通信のために前記基地局と関連付けを行うかを、前記第１のメトリック、前記第２のメトリックおよび前記チャネル差分に基づいて決定することと、
をコンピュータに対して実行させるためのコードを記憶したコンピュータ読取可能な記憶媒体。
【発明の詳細な説明】
【優先権主張】
【０００１】
本特許出願は、「ピア・トゥ・ピア通信およびＷＡＮ通信のための、チャネル品質に基づく関連付けルール」（ASSOCIATION RULES BASED ON CHANNEL QUALITY FOR PEER-TO-PEER AND WAN COMMUNICATION）と題され２０１０年１１月１８日に出願された米国仮出願６１／４１５，１１７に対する優先権を主張する。この出願は、本明細書の譲受人に譲渡され、本明細書において参照によって明確に組み込まれる。
【技術分野】
【０００２】
本開示は、一般に、通信に関し、さらに詳しくは、ピア・トゥ・ピア（Ｐ２Ｐ）通信および無線エリア・ネットワーク（ＷＡＮ）通信のための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。ＵＥはまた、他のＵＥと、ピア・トゥ・ピアで通信することができうる。ＵＥ間のＰ２Ｐ通信および、ＵＥと基地局との間のＷＡＮ通信を効率的にサポートすることが望まれうる。
【発明の概要】
【０００５】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
本明細書に記載された実施形態のうちの１または複数の態様によれば、例えばユーザ機器（ＵＥ）等のようなモバイル・エンティティによる動作が可能な関連付け決定方法が提供される。この方法は、ピアＵＥを発見することと、ピアＵＥのための第１のメトリックを決定することと、を含みうる。方法はさらに、無線エリア・ネットワーク（ＷＡＮ）における基地局のための第２のメトリックを決定することを含みうる。この方法はさらに、ピア・トゥ・ピア（Ｐ２Ｐ）通信のためピアＵＥと関連付けを行うか、基地局を介した通信のためにＷＡＮと関連付けを行うかを、第１のメトリックおよび第２のメトリックに基づいて判定すること、を含みうる。関連する態様では、電子デバイス（例えば、ＵＥまたはその構成要素（単数または複数））が、前述された方法を実行するように構成されうる。
【０００７】
関連する態様では、ピアＵＥのための第１のメトリックを決定するステップは、ピアＵＥからＰ２Ｐ信号を受信することと、受信したＰ２Ｐ信号の受信電力の測定を行なうことと、この測定に基づいて、第１のメトリックを決定することと、を含みうる。関連するさらなる態様では、第１のメトリックを決定するステップは、第１のＵＥにおいて、ピアＵＥの受信電力に基づいて、第１のメトリックを決定すること、を含みうる。第２のメトリックを決定するステップは、第１のＵＥにおいて、基地局の受信電力に基づいて、第２のメトリックを決定すること、を含みうる。
【０００８】
さらに関連する態様では、第１のメトリックを決定するステップは、ピアＵＥと第１のＵＥとの間の経路喪失に基づいて、第１のメトリックを決定すること、を含みうる。第２のメトリックを決定するステップは、基地局と第１のＵＥとの間の経路喪失に基づいて、第２のメトリックを決定すること、を含みうる。関連するさらなる態様では、第１のメトリックを決定するステップは、ピアＵＥに関する長期的なチャネル利得に基づいて第１のメトリックを決定すること、を含みうる。第２のメトリックを決定するステップは、基地局に関する長期的なチャネル利得に基づいて第２のメトリックを決定すること、を含みうる。
【０００９】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１０】
【図１】図１は、テレコミュニケーション・システムの例を概念的に例示するブロック図である。
【図２】図２は、Ｐ２Ｐ通信またはＷＡＮ通信のための関連付け決定を行うための技術の例のコール・フロー図である。
【図３】図３は、関連付け決定をサポートするための装置の実施形態のブロック図である。
【図４Ａ】図４Ａは、ＵＥ等によって実行可能な関連付け決定の例を例示する。
【図４Ｂ】図４Ｂは、図４Ａの方法のさらなる態様を例示する。
【図４Ｃ】図４Ｃは、図４Ａの方法のさらなる態様を例示する。
【図５】図５は、（例えばＰ２Ｐ通信またはＷＡＮ通信のための）関連付け決定のために構成されたＵＥおよびｅＮＢを含むラジオ・ネットワークの実施形態の詳細を例示する。
【図６】図６は、図４Ａ−Ｃの方法にしたがう関連付け決定のための装置の実施形態を示す。
【発明を実施するための形態】
【００１１】
Ｐ２Ｐ通信およびＷＡＮ通信をサポートするための技術が本明細書で記載される。これら技術は、例えばＣＤＭＡ、ＴＤＭＡ、ＦＤＭＡ、ＯＦＤＭＡ、ＳＣ−ＦＤＭＡ、およびその他の無線ネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。
【００１２】
図１は、無線通信ネットワーク１００を示す。これは、例えばＬＴＥネットワークまたはその他いくつかのタイプのＷＡＮのような広域ネットワーク（ＷＡＮ）でありうる。無線ネットワーク１００は、多くの基地局およびその他のネットワーク・エンティティを含みうる。単純化のために、図１では、３つの基地局１１０ｘ，１１０ｙ，１１０ｚおよび１つのネットワーク・コントローラ１３０のみが示されている。基地局は、ＵＥと通信するエンティティであり、ノード、ノードＢ、イボルブド・ノードＢ（ｅＮＢ）、アクセス・ポイント等とも称されうる。おのおのの基地局は、特定の地理的領域のための有効通信範囲を提供し、有効通信範囲エリア内に位置するＵＥのための通信をサポートしうる。３ＧＰＰでは、用語「セル」は、この用語が使用されるコンテキストに依存して、この有効通信範囲エリアにサービス提供している基地局および／または基地局サブシステムからなる有効通信範囲エリアを称しうる。３ＧＰＰ２では、用語「セクタ」または「セル・セクタ」は、この有効通信範囲エリアにサービス提供している基地局および／または基地局サブシステムのうちの有効通信範囲エリアを称しうる。明瞭化のために、本明細書では、「セル」の３ＧＰＰ概念が使用される。
【００１３】
基地局は、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連付けを有するＵＥ（例えば、クローズド加入者グループ（ＣＳＧ）におけるＵＥ）によって制限されたアクセスを許可しうる。図１で示される例において、無線ネットワーク１００は、マクロ・セルのためのマクロ基地局１１０ａ，１１０ｂ，１１０ｃを含んでいる。無線ネットワーク１００はさらに、ピコ・セルのためのピコ基地局、および／または、フェムト・セルのためのフェムト／ホーム基地局（図１に図示せず）を含みうる。
【００１４】
無線ネットワーク１００はさらに、中継局をも含みうる。中継局は、データの伝送を上流局（例えば、基地局またはＵＥ）から受信し、データの伝送を下流局（例えば、ＵＥまたは基地局）へ送信するエンティティである。中継局はまた、他のＵＥのための送信を中継するＵＥでもありうる。中継局はまた、ノード、リレー、リレー基地局等とも称されうる。
【００１５】
無線ネットワーク１００は、例えばマクロ基地局のような同じタイプの基地局を含むホモジニアスなネットワークでありうる。無線ネットワーク１００はまた、例えば、マクロ基地局、ピコ基地局、フェムト基地局、中継局等のような異なるタイプの基地局を含むヘテロジニアスなネットワークでもありうる。これら異なるタイプの基地局は、異なる送信電力レベル、異なる有効通信範囲エリア、および、無線ネットワーク１００内の干渉に対する異なるインパクトを有しうる。例えば、マクロ基地局は、高い送信電力レベル（例えば、２０ワットまたは＋４３ｄＢｍ）を有しうる。また、ピコ基地局および中継局は、それより低い送信電力レベル（例えば、２ワットまたは＋３３ｄＢｍ）を有しうる。そして、ホーム基地局およびＵＥは、低い送信電力レベル（例えば、０．２ワットまたは＋２３ｄＢｍ）を有しうる。異なるタイプの基地局は、異なる最大送信電力レベルを有する、異なる電力クラスに属しうる。
【００１６】
ネットワーク・コントローラ１３０は、基地局のセットに接続しており、これら基地局のために調整および制御を提供しうる。ネットワーク・コントローラ１３０は、バックホールを介して基地局と通信しうる。基地局もまた、バックホールを介して互いに通信しうる。
【００１７】
無線ネットワーク１００の全体にわたってＵＥ１２０が分布しうる。そして、おのおののＵＥは、固定式または移動式でありうる。ＵＥは、ノード、局、移動局、端末、アクセス端末、加入者ユニット等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。ＵＥは、基地局、中継局、その他のＵＥ等と通信できうる。
【００１８】
本明細書における記載では、Ｐ２Ｐ通信は、例えば基地局または中継局のようなネットワーク・エンティティを経由しない、２またはそれ以上のＵＥとの間のダイレクトな通信を称する。ＷＡＮ通信は、例えば基地局または中継局のような少なくとも１つのネットワーク・エンティティを介した、ＵＥと遠隔局（例えば他のＵＥ）との間の通信を称する。ノードは、基地局、中継局、ＵＥ等でありうる。
【００１９】
従来のＷＡＮは、ＵＥ間のダイレクトな通信をサポートしない。したがって、何れのＵＥ−ＵＥトラフィックも、先ず、ソースＵＥによって、そのサービス提供基地局へ送信され、次に、同じ基地局または別の基地局によって、目的ＵＥへ送信される。このＷＡＮ中心のアプローチは自然であり、特に、ＵＥが互いに離れて位置している場合、多くのケースにおいて有効であることが明らかとされている。
【００２０】
しかしながら、ＵＥ間のダイレクトな通信は、これらＵＥが近接している場合、効率およびその他の利点を与えうる。特に、ダイレクト通信の効率が向上する。なぜなら、２つのＵＥ間の経路喪失は、各ＵＥとその最も近い基地局との間の経路喪失よりも実質的に小さくなりうるからである。さらに、ＷＡＮ通信のために２つの送信ホップ、すなわち、ソースＵＥからそのサービス提供基地局へのアップリンクにおける１つの送信ホップと、同じまたは異なる基地局から目的ＵＥへのダウンリンクにおけるもう１つの送信ホップとが必要とされる一方、２つのＵＥ間のダイレクトな通信のために単一の送信「ホップ」しか必要とされないので、効率が向上する。
【００２１】
ＵＥは、Ｐ２Ｐ通信をサポートしうる。そして、ＵＥが、例えばＰ２Ｐモードで動作しており、エンド・ユーザによって指示された場合、ピアＵＥを求める検出を行いうる。ＵＥは、ピアＵＥを発見した場合、ピアＵＥと通信することを試みうる。しかしながら、２つのＵＥ間のチャネル品質は貧弱でありうる。そして、これらＵＥ間の通信は、貧弱な品質であり、無線ネットワークにおける他のＵＥの動作に悪影響を与えうる。
【００２２】
態様では、ＵＥは、Ｐ２Ｐ通信またはＷＡＮ通信のいずれかを行う、関連付け決定を行いうる。この関連付け決定は、ネットワーク・パフォーマンスに大きなインパクトを与え、良好なネットワーク・パフォーマンスを与えながらＵＥにおける複雑さを制限するように定義された関連付けルールに基づいてなされうる。１つの設計では、関連付けルールは、１または複数の単純な基準に基づいて定義されうる。これは、後述するように、チャネル品質に関連しうる。
【００２３】
図２は、Ｐ２Ｐ通信またはＷＡＮ通信のための関連付け決定を行うための処理２００の設計のフロー図を示す。ＵＥ１２０ｘは、他のＵＥを求めて検出するためのピア発見を実行しうる（ステップ１）。このピア発見処理は、（ｉ）他のＵＥが、ＵＥ１２０ｘの存在を検出できるように、ＵＥ１２０ｘによってピア検出信号を送信することと、および／または、（ｉｉ）他のＵＥの存在および／またはサービスを通知するために、他のＵＥによって送信されたピア検出信号を求める検出を行うことと、を含みうる。ＵＥ１２０ｘは、このピア発見処理から、ピアＵＥ１２０ｙを検出しうる。
【００２４】
ＵＥ１２０ｘは、ピアＵＥ１２０ｙからＰ２Ｐ信号を受信し、測定しうる（ステップ２）。Ｐ２Ｐ信号は、ピアＵＥ１２０ｙからのピア検出信号、基準／パイロット信号、および／または、その他の信号を備えうる。この測定は、受信電力、受信信号品質等に関しうる。受信電力は、受信信号強度、パイロット強度等とも称されうる。受信信号品質は、キャリア対干渉比（Ｃ／Ｉ）、信号対雑音比（ＳＮＲ）、信号対雑音および干渉比（ＳＩＮＲ）、キャリア・オーバ・サーマル（ＣｏＴ）等によって定量化されうる。明瞭さのために、以下の記載の多くは、受信信号品質に関するＣ／Ｉを称する。受信電力および受信信号品質は、チャネル品質の２つの典型的な尺度でありうる。
【００２５】
ＵＥ１２０ｘはさらに、近傍内の基地局を求める探索を行い、基地局１１０ｙを検出しうる。ＵＥ１２０ｘは、基地局１１０ｙからのＷＡＮ信号を受信し、測定しうる（ステップ３）。一般に、図２におけるステップ１，２，３は、任意の順に実行されうる。図２に示されるように、ステップ１とステップ２は、個別に実行されうる。ステップ２はまた、ステップ１の一部でもありうる。そして、ＵＥ１２０ｘは、ピア発見処理の間、ピアＵＥ１２０ｙに関する測定を行いうる。
【００２６】
ＵＥ１２０ｘは、ピアＵＥおよび基地局に関する測定に基づいて、ピアＵＥ１２０ｙおよび基地局１１０ｙのメトリックを計算しうる（ステップ４）。これらメトリックは、チャネル品質に関連しており、後述するようにして計算されうる。ＵＥ１２０ｘは、Ｐ２Ｐ通信のためにピアＵＥ１２０ｙとの関連付けを行うか、基地局１１０ｙを介した通信のためにＷＡＮとの関連付けを行うかを決定しうる（ステップ５）。この関連付け決定は、関連付けルールに基づきうる。これは、ピアＵＥ１２０ｙと基地局１１０ｙのためのメトリックに基づいて定義されうる。
【００２７】
ピアＵＥと関連付けを行うとの決定がなされた場合、ＵＥ１２０ｘは、ピアＵＥ１２０ｙとダイレクトに通信しうる（ステップ６Ａ）。あるいは、ＷＡＮとの関連付けを行うとの決定がなされた場合、ＵＥ１２０ｘは基地局１１０ｙを介して通信しうる（ステップ６Ｂ）。
【００２８】
一般に、関連付けルールは、任意の数の基準および任意の基準に基づいて定義されうる。しかしながら、複雑さを低減するために、ＵＥ１２０ｘによって容易になされうる測定に基づいて、単純な基準を使用することが望まれうる。単純な基準に基づいたいくつかの典型的な関連付けルールが後述される。
【００２９】
１つの設計では、関連付けルールは、受信電力に基づいて定義されうる。この設計では、各ノードのメトリックは、関連付け決定を行ったＵＥにおける、そのノードの受信電力に対応しうる。図２に示される例では、ＵＥ１２０ｘは、ピアＵＥ１２０ｙの受信電力を測定し、基地局１１０ｙの受信電力をも測定しうる。ＵＥ１２０ｘは、最大受信電力に基づいて、関連付け決定を行いうる。特に、ピアＵＥ１２０ｙの受信電力が、基地局１１０ｙの受信電力よりも高い場合には、ＵＥ１２０ｘは、ピアＵＥ１２０ｙとの関連付けを行い、ピア・トゥ・ピアで通信しうる。逆に、基地局１１０ｙの受信電力が、ピアＵＥ１２０ｙの受信電力よりも高い場合には、ＵＥ１２０ｘは、ＷＡＮとの関連付けを行い、基地局１１０ｙを介して通信しうる。マクロ基地局は一般に、ＵＥよりもはるかに高い送信電力レベル（例えば、ＵＥの＋２３ｄＢｍに対して、マクロ基地局は＋４３ｄＢｍ）を有しているので、受信電力に基づく関連付け決定は、ＷＡＮ通信に対してよりバイアスされうる。
【００３０】
別の設計では、関連付けルールが、経路喪失に基づいて定義されうる。この設計では、各ノードのメトリックは、関連付け決定を行うＵＥとノードとの間の経路喪失に対応しうる。図２に示される例では、ＵＥ１２０ｘは、ピアＵＥ１２０ｙの受信電力を測定し、ＵＥ１２０ｙの受信電力（ｄＢｍ）と、ＵＥ１２０ｙの送信電力（ｄＢｍ）との差に基づいて、ＵＥ１２０ｘとＵＥ１２０ｙとの間の経路喪失を判定しうる。ＵＥ１２０ｘはまた、基地局１１０ｙの受信電力を測定し、基地局１２０ｙの受信電力（ｄＢｍ）と、基地局１１０ｙの送信電力（ｄＢｍ）との差に基づいて、基地局１１０ｙとＵＥ１２０ｘとの間の経路喪失を判定しうる。ＵＥ１２０ｘはその後、最小経路喪失に基づいて、関連付け決定を行いうる。特に、ＵＥ１２０ｘとＵＥ１２０ｙとの間の経路喪失が、基地局１１０ｙとＵＥ１２０ｘとの間の経路喪失よりも小さい場合、ＵＥ１２０ｘは、ピアＵＥ１２０ｙとの関連付けを行い、ピア・トゥ・ピアで通信しうる。逆に、基地局１１０ｙの経路喪失が、ピアＵＥ１２０ｙの経路喪失よりも小さい場合には、ＵＥ１２０ｘは、ＷＡＮとの関連付けを行い、基地局１１０ｙを介して通信しうる。経路喪失は、各ノードの送信電力レベルを考慮するので、経路喪失に基づく関連付け決定は、Ｐ２Ｐ通信に対してよりバイアスされうる。
【００３１】
ＵＥ１２０ｘとＵＥ１２０ｙとの間の経路喪失が小さい場合、恐らくＰ２Ｐ通信が有益であろう。なぜなら、各ＵＥの受信機において雑音および干渉に打ち勝つために、比較的低い送信電力で十分でありうるからである。このようなシナリオでは、ＵＥ１２０ｘとＵＥ１２０ｙとの間のＰ２Ｐ通信は、同じ周波数で動作している他のＵＥに対して、少量の干渉しか生成しない。干渉を低減するために、各ＵＥの送信電力は、２つのＵＥ間のＰ２Ｐリンクによる良好なパフォーマンスを達成するために必要とされる送信電力レベルを超えないように制御されうる。
【００３２】
１つの設計では、ＷＡＮまたはピアＵＥの何れか一方に対する関連付け決定をよりバイアスさせるためにオフセットが使用されうる。オフセットは、（ｉ）すべての時間において使用される固定値であるか、または、（ｉｉ）経時的に変化しうる設定可能な値でありうる。オフセットは、すべてのＵＥに対して適用可能であり、ＵＥへブロードキャストされうるか、規格で指定されうる。オフセットはまた、（例えば、高位レイヤによって）各ＵＥのために設定可能であり、ＵＥへシグナルされうる。オフセットは、ピアＵＥのためのメトリック、または、基地局のためのメトリックに適用され、関連付けの複雑さをわずかに高めうる。
【００３３】
表１は、関連付けに適切な基地局１１０ｙおよびＵＥ１２０ｙのさまざまなパラメータの典型的な値をリストする。表１において示される例において、基地局１１０ｙは、＋４３ｄＢｍの送信電力レベルと、１３ｄＢのアンテナ利得を有している。基地局１１０ｙとＵＥ１２０ｘとの間の経路喪失は１００ｄＢであり、ＵＥ１２０ｘにおける基地局１１０ｙの受信電力は−４４ｄＢｍである。ピアＵＥ１２０ｙは、＋２３ｄＢｍの送信電力レベルおよび０ｄＢのアンテナ利得を有している。ＵＥ１２０ｘとＵＥ１２０ｙとの間の経路喪失は７０ｄＢであり、ＵＥ１２０ｘにおけるピアＵＥ１２０ｙの受信電力は−４７ｄＢｍである。  
【表１】
0005661943.tif 000002
【００３４】
表１に示される例では、関連付けルールが、受信電力に基づいて定義されているのであれば、ＵＥ１２０ｘは、ＷＡＮとの関連付けを行い、基地局１１０ｙを介して通信するだろう。なぜなら、ＵＥ１２０ｘにおいて、−４４ｄＢｍである基地局１１０ｙの受信電力は、−４７ｄＢｍであるピアＵＥ１２０ｙの受信電力よりも高いからである。しかしながら、関連付けルールが、経路喪失に基づいて定義されているのであれば、ＵＥ１２０ｘは、ピアＵＥ１２０ｘとの関連付けを行い、ピア・トゥ・ピアで通信するだろう。なぜなら、ピアＵＥ１２０ｙに関する７０ｄＢである経路喪失は、基地局１１０ｙに関する１００ｄＢである経路喪失よりも小さいからである。表１の例によって例示されるように、別のメトリックが、別のノードとの関連付けを好み、結果として、ＵＥ１２０ｘによる別の関連付けにもなりうる。特に、表１における例は、受信電力が、ＷＡＮとの関連付けを好む一方、経路喪失が、ピアＵＥとの関連付けを好むことを示している。
【００３５】
表１において示される例において、５ｄＢのオフセットが、ピアＵＥ１２０ｙの受信電力に適用され、基地局１１０ｙの受信電力にはオフセットが適用されない。そして、ピアＵＥ１２０ｙの調節受信電力は、−４２ｄＢｍとなり、基地局１１０ｙの調節受信電力は、−４４ｄＢｍとなるであろう。関連付けルールが、オフセットを有する受信電力に基づいて定義されているのであれば、ＵＥ１２０ｘは、ピアＵＥ１２０ｙとの関連付けを行い、ピア・トゥ・ピアで通信するであろう。なぜなら、ＵＥ１２０ｘにおいて、−４２ｄＢｍであるピアＵＥ１２０ｙの調節受信電力は、−４４ｄＢｍである基地局１１０ｙの調節受信電力よりも高いからである。表１の例によって例示されるように、ピアＵＥ１２０ｙの受信電力に適用されるオフセットは、ピアＵＥとの関連付けを好む方にバイアスを変更しうる。特に、表１における例は、ＵＥ１２０ｘが、オフセットのない受信電力に基づく関連付けルールを用いてＷＡＮとの関連付けを行いうるものの、オフセットのある受信電力に基づく関連付けルールを用いてピアＵＥとの関連付けを行いうることを示す。
【００３６】
表１は、５ｄＢのオフセットが、ピアＵＥ１２０ｙの受信電力に適用される例を示す。３３ｄＢのオフセットが、基地局１１０ｙとピアＵＥ１２０ｙとの間の異なる送信電力レベルおよび異なるアンテナ利得を補償しうる。したがって、ピアＵＥ１２０ｙの受信電力に適用された３３ｄＢのオフセットの結果、オフセットのある最大受信電力に基づく関連付けは、オフセットのない最小経路喪失に基づく関連付けと等価となる。一般に、オフセットは、受信電力、経路喪失、またはその他もメトリックに適用されうる。オフセットはまた、基地局またはピアＵＥのメトリックにも適用されうる。
【００３７】
さらに別の設計では、関連付けルールは、長期的なチャネル利得／強度に基づいて定義されうる。ノードのチャネル利得は、ノードの経路喪失に関連付けられうる（例えば、１００ｄＢの経路喪失は、−１００ｄＢのチャネル利得に相当しうる）。この設計では、各ノードのメトリックは、関連付け決定を行うＵＥにおける、そのノードのための長期的なチャネル利得に対応しうる。図２に示される例において、ＵＥ１２０ｘは、ピアＵＥ１２０ｙの受信電力を測定し平均化し、ＵＥ１２０ｙのための長期的なチャネル利得ＧＵＥを決定しうる。ＵＥ１２０ｘはまた、基地局１１０ｙの受信電力を測定し平均化し、基地局１１０ｙのための長期的なチャネル利得ＧＢＳを決定しうる。ＵＥ１２０ｘはチャネル差分を判定しうる。これは、基地局１１０ｙの長期的なチャネル利得（ｄＢ）と、ＵＥ１２０ｙの長期的なチャネル利得（ｄＢ）との差、すなわち、ＣｈａｎＤｉｆｆ＝ＧＢＳ−ＧＵＥでありうる。ＵＥ１２０ｘはその後、このチャネル差分に基づいて、関連付け決定を行いうる。特に、チャネル差分がしきい値よりも大きい（または小さい）場合、ＵＥ１２０ｘは、ピアＵＥ１２０ｙとの関連付けを行い、ピア・トゥ・ピアで通信しうる。反対に、チャネル差分がしきい値よりも小さい（または大きい）場合、ＵＥ１２０ｘは、ＷＡＮとの関連付けを行い、基地局１１０ｙを介して通信しうる。「より大きい」または「より小さい」という不等号の使用は、ＷＡＮと関連付けを行うことにバイアスされるか、またはピアＵＥと関連付けを行うことにバイアスされるかに依存する。
【００３８】
さらに別の設計では、関連付けルールは、短期的なＣ／Ｉまたは長期的なＣ／Ｉに基づいて定義されうる。この設計では、各ノードのメトリックは、関連付け決定を行うＵＥにおける、そのノードのＣ／Ｉに対応しうる。図２に示される例において、ＵＥ１２０ｘは、ピアＵＥ１２０ｙのＣ／Ｉを測定（さらに、恐らくは平均化）しうる。ＵＥ１２０ｘはまた、基地局１１０ｙのＣ／Ｉを測定（さらに、恐らくは平均化）しうる。ＵＥ１２０ｘは、ノードからの基準信号／パイロット、または制御チャネル、またはデータ・チャネル、またはこれらの組み合わせに基づいて、各ノードのＣ／Ｉを測定しうる。ＵＥ１２０ｘはその後、最大Ｃ／Ｉに基づいて、関連付け決定を行いうる。特に、ＵＥ１２０ｙのＣ／Ｉが、基地局１１０ｙのＣ／Ｉよりも良好である場合には、ＵＥ１２０ｘは、ピアＵＥ１２０ｙとの関連付けを行い、ピア・トゥ・ピアで通信しうる。逆に、ＵＥ１２０ｙのＣ／Ｉが、基地局１１０ｙのＣ／Ｉよりも悪い場合には、ＵＥ１２０ｘは、ＷＡＮとの関連付けを行い、基地局１１０ｙを介して通信しうる。
【００３９】
関連付けルールはまた、例えばスループット、漏れ等のような他の基準に基づいても定義されうる。スループットは、ノードのＣ／Ｉを推定すること、推定されたＣ／Ｉを容量関数に基づいてスペクトル効率に変換すること、および、スペクトル効率を、動作帯域幅と掛け合わせること、によって決定されうる。基地局の漏れは、基地局によってサービス提供されていないＵＥにおける、基地局による干渉を備えうる。基地局のメトリックは、信号対漏れ比（ＳＬＲ）、幾何学対漏れ比（ＧＬＲ）、またはスループット対漏れ比（ＴＬＲ）を備えうる。
【００４０】
いくつかの設計では、関連付けルールは、前述したように、例えば受信電力、または経路喪失、または長期的なチャネル利得、またはＣ／Ｉ、またはその他いくつかの基準に基づいて定義されうる。その他の設計では、関連付けルールは、これら基準の組み合わせに基づいて定義されうる。
【００４１】
１つの設計では、関連付けルールは、経路喪失とチャネル差分との組み合わせに基づいて定義されうる。（ｉ）ＵＥ１２０ｙの経路喪失が、基地局１１０ｙの経路喪失よりも小さく、（ｉｉ）チャネル差分がしきい値よりも大きい（または小さい）場合、ＵＥ１２０ｘはピアＵＥ１２０ｙとの関連付けを行い、ピア・トゥ・ピアで通信しうる。チャネル差分基準は、基地局からの良好な有効通信範囲を有するＵＥが、ピアＵＥとではなく、ＷＡＮと関連付けを行うことに高いバイアスを有していることを保証しうる。
【００４２】
別の設計では、関連付けルールは、受信電力とチャネル差分との組み合わせに基づいて定義されうる。一般に、関連付けルールは、受信電力、または経路喪失、またはチャネル差分、またはＣ／Ｉ、またはこれらの組み合わせを含みうる任意の基準の組み合わせに基づいて定義されうる。
【００４３】
Ｐ２Ｐ通信が、ＷＡＮ通信よりもパフォーマンス利点を提供するか否かは、（ｉ）ＵＥ間のダイレクト／Ｐ２Ｐリンクのチャネル品質と、（ｉｉ）ＵＥとそれらのサービス提供基地局との間のＷＡＮリンクのチャネル品質とに依存しうる。Ｐ２ＰリンクおよびＷＡＮリンクのチャネル品質に基づく関連付けルールは、パフォーマンス利点を与えうる。
【００４４】
１つの設計では、関連付けは、ダウンリンクとアップリンクとの両方について統合的に実行されうる。例えば、ＵＥ１２０ｘは、ダウンリンクとアップリンクとの両方における通信のために、ＷＡＮまたはピアＵＥ１２０ｙのどちらと関連付けを行うのかを決定しうる。別の設計では、関連付けは、ダウンリンクとアップリンクのために個別に実行されうる。例えば、ＵＥ１２０ｘは、ダウンリンクにおける通信のためにＷＡＮと関連付けを行うことを決定し、アップリンクにおける通信のためにピアＵＥ１２０ｙと関連付けを行うことを決定しうる。
【００４５】
前述した設計では、ＷＡＮとの関連付けを行うか、ピアＵＥとの関連付けを行うかを決定するための関連付けが、ＵＥによって実行されうる。他の設計では、関連付けは、例えば基地局または中継局のようなネットワーク・エンティティによって実行されうる。ネットワーク・エンティティは、関連付けが実行されるＵＥから適切な情報を受信し、前述した関連付けルールのうちの何れかに基づいて、ＵＥのための関連付け決定を行いうる。ネットワーク・エンティティは、関連付け決定をＵＥへ明示的にまたは暗黙的にシグナルしうる。
【００４６】
良好なパフォーマンスを保証するために、ＷＡＮとＰ２Ｐ  ＵＥとの間の干渉調整が実行されうる。干渉調整は、２つの構成要素を含みうる。第１に、Ｐ２Ｐ送信が、ＷＡＮによって使用されているものと同じ周波数でなされる場合、Ｐ２Ｐ送信は、ＷＡＮ送信への干渉を引き起こすであろう。また、その逆もありうるだろう。この干渉の厳しさは、チャネル条件に依存しうる。そして、干渉元のＷＡＮまたはＰ２Ｐノードへ直交リソースを割り当てるためのリソース調整を必要としうる。ＷＡＮとＰ２Ｐノードとの間の干渉調整は、Ｐ２Ｐノードを、専用の周波数で、または、ＷＡＮがアクティブではない準静的に割当／設定されたリソースで動作させることによって回避されうる。第２に、Ｐ２Ｐノード間で干渉調整が実行されうる。なぜなら、Ｐ２Ｐ送信は、互いに強く干渉しうるからである。これは、干渉元のＰ２Ｐノードのグループへ直交リソースを割り当てるリソース調整を実行することによって達成されうる。Ｐ２Ｐノード間の干渉調整は、Ｐ２Ｐ送信が、ＷＡＮによって使用されているものと同じ周波数で送信されているか、あるいは、専用の周波数で送信されているかに関わらず必要とされうる。
【００４７】
干渉調整のためのリソース割当および関連付けは、（恐らくは、異なるエンティティによって）個別に実行されうる。関連付け決定は、一般に、リソース割当にインパクトを与えうる、あるいは、その逆もありうるので、リソース割当および関連付けは統合的にも実行されうる。関連付けおよびリソース割当は、関連付けおよびリソース割当の異なる可能なシナリオのための適切なメトリックを計算し、次に、最良のメトリックを持つシナリオを選択することによって、統合的に実行されうる。
【００４８】
図３は、関連付けをサポートする装置３００の設計のブロック図を示す。装置３００は、ＵＥまたはその他いくつかのエンティティの一部でありうる。装置３００内では、ピア検出モジュール３１２が、ピアＵＥの存在を検出するために受信信号を処理し、検出された各ピアＵＥの情報（例えば、ＵＥアイデンティティ（ＩＤ））を提供しうる。測定モジュール３１４は、そのピアＵＥから受信したＰ２Ｐ信号に基づいて、検出された各ピアＵＥに関する測定（例えば、受信電力、Ｃ／Ｉ等）を行いうる。メトリック計算モジュール３１６は、そのピアＵＥの測定に基づいて、検出された各ピアＵＥの１または複数のメトリック（例えば、受信電力、経路喪失、短期的または長期的なＣ／Ｉ、長期的なチャネル利得等）を計算しうる。
【００４９】
同様に、セル探索モジュール３２２は、基地局の存在を検出するために、受信信号を処理し、検出された各基地局の情報（例えば、セルＩＤ）を提供しうる。測定モジュール３２４は、その基地局から受信したＷＡＮ信号に基づいて、検出された各基地局の測定を行いうる。メトリック計算モジュール３２６は、その基地局の測定に基づいて、検出された各基地局の１または複数のメトリックを計算しうる。
【００５０】
関連付け決定モジュール３３０は、検出されたピアＵＥのメトリックを、モジュール３１６から受信し、検出された基地局のメトリックを、モジュール３２６から受信しうる。モジュール３３０は、ピアＵＥおよび基地局のメトリックに基づいて、ＷＡＮまたはピアＵＥと関連付けを行うことを決定しうる。モジュール３３０は、この関連付け決定を、通信モジュール３３２，３４２に提供しうる。ピアＵＥとの関連付けが選択された場合、モジュール３３２は、ピアＵＥとピア・トゥ・ピアで通信しうる。ＷＡＮとの関連付けが選択された場合、モジュール３４２は、基地局を介して通信しうる。
【００５１】
図４Ａは、関連付けを実行する処理４００の設計を示す。処理４００は、（以下に説明するように）第１のＵＥによって実行されうるか、または、その他いくつかのエンティティ（例えば、基地局）によって実行されうる。第１のＵＥは、例えば、（例えば４１２のような）ピア発見処理によって、ピアＵＥを発見しうる。第１のＵＥは、ピアＵＥのための第１のメトリックを決定し（ブロック４１４）、ＷＡＮにおける基地局のための第２のメトリックをも決定しうる（ブロック４１６）。基地局は、マクロ基地局、またはフェムト基地局、またはピコ基地局、または中継局でありうる。第１のＵＥは、第１のメトリックおよび第２のメトリックに基づいて、Ｐ２Ｐ通信のためにピアＵＥとの関連付けを行うのか、または、基地局を介した通信のためにＷＡＮとの関連付けを行うのかを決定しうる（ブロック４１８）。
【００５２】
図４Ｂ−Ｃを参照して、ＵＥ等によって実行されうるオプションの方法４００のさらなる動作または態様が示されている。方法４００が、図４Ｂ−Ｃのうちの少なくとも１つのブロックを含んでいる場合、方法４００は、例示されうるあらゆるその後のダウンストリーム・ブロック（単数または複数）を含むことを必ずしも必要とせず、少なくとも１つのブロックの後に終了することができる。これら多くのブロックは、これらブロックが方法４００にしたがって実行されうる特定の順序を意味していないことがさらに注目される。例えば、図４Ｂに示すように、ブロック４１４の１つの設計では、第１のＵＥが、ピアＵＥからＰ２Ｐ信号を受信し（ブロック４２０）、Ｐ２Ｐ信号の受信電力を測定し（ブロック４２２）、この測定に基づいて、第１のメトリックを決定しうる（ブロック４２４）。第１のＵＥは、ブロック４１６と同様の方式で、基地局の第２のメトリックを決定しうる。
【００５３】
ブロック４１４，４１６の１つの設計では、第１のメトリックが、第１のＵＥにおけるピアＵＥの受信電力に基づいて決定され、第２のメトリックが、第１のＵＥにおける基地局の受信電力に基づいて決定されうる（ブロック４３０）。別の設計では、ピアＵＥと第１のＵＥとの間の経路喪失に基づいて第１のメトリックが決定され、基地局と第１のＵＥとの間の経路喪失に基づいて第２のメトリックが決定されうる（ブロック４３２）。別の設計では、ピアＵＥの長期的なチャネル利得に基づいて第１のメトリックが決定され、基地局の長期的なチャネル利得に基づいて第２のメトリックが決定されうる（ブロック４３４）。また別の設計では、第１のメトリックが、第１のＵＥにおいてピアＵＥのＣ／Ｉに基づいて決定され、第２のメトリックが、第１のＵＥにおいて基地局のＣ／Ｉに基づいて決定されうる（ブロック４３６）。一般に、ピアＵＥに関するチャネル品質に関連する測定に基づいて第１のメトリックが決定され、基地局に関するチャネル品質に関連する測定に基づいて第２のメトリックが決定されうる（ブロック４３８）。
【００５４】
図４Ｃに示すように、１つの設計では、第１のメトリックまたは第２のメトリックが、オフセットに基づいて決定されうる（ブロック４４０）。オフセットは、ＷＡＮよりもピアＵＥとの関連付けを好むように選択されうる（ブロック４４２）。あるいは、オフセットは、ピアＵＥよりもＷＡＮとの関連付けを好むように選択されうる（ブロック４４４）。オフセットは、第１のＵＥのために設定されうるか、基地局またはＷＡＮによってブロードキャストされうるか、（例えば、規格で）指定されうるか、またはその他の方式で取得されうる。一般に、第１のＵＥは、ＷＡＮからパラメータを受信し、このパラメータに基づいて、第１のメトリックおよび／または第２のメトリックを決定しうる。
【００５５】
１つの設計では、第１のＵＥは、ピアＵＥの長期的なチャネル利得と、基地局の長期的なチャネル利得との間の差分を示すチャネル差分を決定しうる（ブロック４５０）。第１のＵＥは、さらにチャネル差分に基づいて、ピアＵＥと関連付けを行うか、ＷＡＮと関連付けを行うのかを決定しうる。例えば、第１のメトリックおよび第２のメトリックは、経路喪失に関連しうる。（ｉ）２つのＵＥ間の経路喪失が、基地局と第１のＵＥとの間の経路喪失未満であり、（ｉｉ）チャネル差分がしきい値より大きい場合、第１のＵＥはピアＵＥと関連付けを行いうる。そうではない場合、第１のＵＥは、ＷＡＮとの関連付けを行いうる（ブロック４５２）。
【００５６】
別の設計では、第１のＵＥは、ピアＵＥの長期的なＣ／Ｉと、基地局の長期的なＣ／Ｉとを決定しうる（ブロック４６０）。第１のＵＥは、さらにピアＵＥの長期的なＣ／Ｉと基地局の長期的なＣ／Ｉとに基づいて、ピアＵＥと関連付けを行うか、またはＷＡＮと関連付けを行うかを決定しうる（ブロック４６２）。一般に、任意の数のメトリックが、基地局およびピアＵＥのおのおのの任意の数の基準に基づいて決定され、関連付け決定を行うために使用されうる。
【００５７】
本明細書に記載された実施形態のうちの１または複数の態様によれば、図４Ａ−Ｃを参照して前述したように、分散ＤＦＳのためのデバイスおよび装置が提供される。図６を参照して、モバイル・エンティティ（例えばＵＥ等）、またはその中で使用されるプロセッサまたは類似のデバイス／構成要素として構成されうる典型的な装置６００が提供されている。装置６００は、プロセッサ、ソフトウェア、またはこれらの組み合わせ（例えば、ファームウェア）によって実現される機能を表す機能ブロックを含みうる。例えば、装置６００は、ピアＵＥを発見するための電子構成要素またはモジュール６１２を含みうる。装置６００は、ピアＵＥのための第１のメトリックを決定するための構成要素６１４を含みうる。装置６００は、ＷＡＮにおける基地局のための第２のメトリックを決定するための構成要素６１６を含みうる。装置６００は、第１のメトリックおよび第２のメトリックに基づいて、Ｐ２Ｐ通信のためにピアＵＥとの関連付けを行うか、あるいは、基地局を介した通信のためにＷＡＮとの関連付けを行うかを決定するための構成要素６１８を含みうる。
【００５８】
関連する態様では、装置６００は、プロセッサではなく、モバイル・エンティティ（例えばＵＥ）として構成されている場合、オプションとして、少なくとも１つのプロセッサを有するプロセッサ構成要素６５０を含みうる。この場合、プロセッサ６５０は、バス６５２または類似の通信カップリングによって、構成要素６１２−６１８と動作可能に通信しうる。プロセッサ６５０は、電子構成要素６１２−６１８によって実行される処理または機能の開始およびスケジューリングを有効にしうる。
【００５９】
さらに関連する態様では、装置６００は、ラジオ・トランシーバ構成要素６５４を含みうる。トランシーバ６５４の代わりに、あるいは、トランシーバ６５４と連携して、スタンド・アロン受信機、および／または、スタント・アロン送信機が使用されうる。装置６００は、オプションとして、例えばメモリ・デバイス／構成要素６５６のように、情報を格納するための構成要素を含みうる。コンピュータ読取可能な媒体またはメモリ構成要素６５６が、バス６５２等によって、装置６００のその他の構成要素に動作可能に接続されうる。メモリ構成要素６５６は、構成要素６１２−６１８、これらのサブ構成要素、またはプロセッサ６５０、あるいは、本明細書で開示された方法の処理および挙動を有効にするためのコンピュータ読取可能な命令群およびデータを格納するように適応されうる。メモリ構成要素６５６は、電子構成要素６１２−６１８に関連付けられた機能を実行するための命令群を保持しうる。メモリ６５６の外側にあるとして示されているが、電子構成要素６１２−６１８は、メモリ６５６内に存在しうることが理解されるべきである。図６における構成要素はさらに、プロセッサ、電子デバイス、ハードウェア・デバイス、電子部分部品、論理回路、メモリ、ソフトウェア・コード、ファームウェア・コード等、またはこれらの任意の組み合わせを備えうることが注目される。
【００６０】
図５は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ５３４ａ乃至５３４ｔを備え、ＵＥ１２０は、Ｒ個のアンテナ５５２ａ乃至５５２ｒを備えうる。ここで、一般に、Ｔ≧１およびＲ≧１である。
【００６１】
基地局１１０では、送信プロセッサ５２０が、データ・ソース５１２から、１または複数のＵＥのためのデータを、コントローラ／プロセッサ５４０から制御情報を受信しうる。プロセッサ５２０は、データおよび制御情報を処理（例えば、符号化および変調）し、データ・シンボルおよび制御シンボルをそれぞれ取得する。送信（ＴＸ）複数入力複数出力（ＭＩＭＯ）プロセッサ５３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）５３２ａ乃至５３２ｔに提供しうる。おのおのの変調器５３２は、（例えば、ＯＦＤＭ等のために）それぞれの出力シンボル・ストリームを処理して、出力サンプル・ストリームを得る。おのおのの変調器５３２はさらに、出力サンプル・ストリームを処理（例えば、アナログ変換、増幅、フィルタ、およびアップコンバート）し、ダウンリンク信号を取得する。変調器５３２ａ乃至５３２ｔからのＴ個のダウンリンク信号は、Ｔ個のアンテナ５３４ａ乃至５３４ｔによってそれぞれ送信されうる。
【００６２】
ＵＥ１２０では、アンテナ５５２ａ乃至５５２ｒが、基地局１１０および別の基地局からダウンリンク信号を受信し、他のＵＥからＰ２Ｐ信号を受信し、これら受信した信号を、復調器（ＤＥＭＯＤ）５５４ａ乃至５５４ｒへそれぞれ提供しうる。おのおのの復調器５５４は、受信された信号を調整（例えば、フィルタ、増幅、ダウンコンバート、およびデジタル化）して、入力サンプルを取得しうる。おのおのの復調器５５４はさらに、（例えば、ＯＦＤＭ等のために）これら入力サンプルを処理して、受信されたシンボルを取得しうる。ＭＩＭＯ検出器５５６は、受信されたシンボルを、Ｒ個すべての復調器５５４ａ乃至５５４ｒから取得し、適用可能である場合、これら受信されたシンボルに対してＭＩＭＯ検出を実行し、検出されたシンボルを提供しうる。受信プロセッサ５５８は、検出されたシンボルを処理（例えば、復調および復号）し、ＵＥ１２０のために復号されたデータをデータ・シンク５６０に提供し、復号された制御情報をコントローラ／プロセッサ５８０へ提供しうる。
【００６３】
アップリンクでは、ＵＥ１２０において、送信プロセッサ５６４が、データ・ソース５６２からデータを、コントローラ／プロセッサ５８０から制御情報を受信し、これらを処理しうる。送信プロセッサ５６４はまた、Ｐ２Ｐ通信のためのシンボル（例えば、ピア検出信号およびＰ２Ｐ信号のためのシンボル）をも生成しうる。送信プロセッサ５６４からのシンボルは、適用可能であれば、ＴＸ  ＭＩＭＯプロセッサ５６６によってプリコードされ、さらに、（例えば、ＳＣ−ＦＤＭ、ＯＦＤＭ等のために）変調器５５４ａ乃至５５４ｒによって処理され、基地局１１０、他の基地局、および／または、他のＵＥへ送信されうる。基地局１１０では、ＵＥ１２０およびその他のＵＥからのアップリンク信号が、アンテナ５３４によって受信され、復調器５３２によって処理され、適用可能な場合には、ＭＩＭＯ検出器５３６によって検出され、さらに、受信プロセッサ５３８によって処理されて、ＵＥ１２０およびその他のＵＥによって送信された復号されたデータおよび制御情報が取得される。プロセッサ５３８は、復号されたデータをデータ・シンク５３９に提供し、復号された制御情報をコントローラ／プロセッサ５４０へ提供しうる。
【００６４】
コントローラ／プロセッサ５４０，５８０は、基地局１１０およびＵＥ１２０それぞれにおける動作を指示しうる。ＵＥ１２０におけるプロセッサ５８０および／またはその他のモジュールは、図２におけるＵＥ１２０ｘのための処理を実行しうる。ＵＥ１２０におけるプロセッサ５８０および／またはその他のプロセッサおよびモジュールはまた、図３におけるさまざまなモジュールをも実現しうる。ＵＥ１２０におけるプロセッサ５８０および／またはその他のプロセッサおよびモジュールは、図４Ａ−Ｃにおける処理４００、および／または、本明細書に記載された技術のためのその他の処理の実行または指示をも行いうる。メモリ５４２，５８２は、基地局１１０およびＵＥ１２０それぞれのためのデータおよびプログラム・コードを格納しうる。スケジューラ５４４は、ダウンリンクおよび／またはアップリンクでのデータ送信のためにＵＥをスケジュールしうる。
【００６５】
１つの構成では、無線通信のための装置１２０は、第１のＵＥによってピアＵＥを発見するための手段と、ピアＵＥのための第１のメトリックを決定するための手段と、ＷＡＮにおける基地局のための第２のメトリックを決定するための手段と、ピア・トゥ・ピア（Ｐ２Ｐ）通信のためにピアＵＥと関連付けを行うか、基地局を介した通信のためにＷＡＮと関連付けを行うかを、第１のメトリックおよび第２のメトリックに基づいて決定するための手段と、を含みうる。
【００６６】
１つの態様では、前述した手段は、前述した手段によって詳述された機能を実行するように構成されたプロセッサ５８０および／または、ＵＥ１２０におけるその他のプロセッサでありうる。別の態様では、前述した手段は、前述した手段によって記載された機能を実行するように構成された１または複数のモジュールまたは任意の装置でありうる。
【００６７】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６８】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６９】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７０】
本明細書の開示に関連して説明された方法またはアルゴリズムのステップは、ハードウェアで直接に、プロセッサによって実行されるソフトウェア・モジュールで、またはこの２つの組み合せで実現することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７１】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７２】
前述した本開示の記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］無線通信のために第１のユーザ機器（ＵＥ）による動作が可能な方法であって、
ピアＵＥを発見することと、
前記ピアＵＥのための第１のメトリックを決定することと、
無線エリア・ネットワーク（ＷＡＮ）における基地局のための第２のメトリックを決定することと、
ピア・トゥ・ピア（Ｐ２Ｐ）通信のために前記ピアＵＥと関連付けを行うか、前記基地局を介した通信のために前記ＷＡＮと関連付けを行うかを、前記第１のメトリックおよび前記第２のメトリックに基づいて決定することと、
を備える方法。
［発明２］前記ピアＵＥのための第１のメトリックを決定することは、
前記ピアＵＥからＰ２Ｐ信号を受信することと、
前記受信したＰ２Ｐ信号の受信電力の測定を行なうことと、
前記測定に基づいて、前記第１のメトリックを決定することと、
を備える発明１に記載の方法。
［発明３］前記第１のメトリックを決定することは、前記第１のＵＥにおいて、前記ピアＵＥの受信電力に基づいて、前記第１のメトリックを決定することを備え、
前記第２のメトリックを決定することは、前記第１のＵＥにおいて、前記基地局の受信電力に基づいて、前記第２のメトリックを決定することを備える、発明１に記載の方法。
［発明４］前記第１のメトリックを決定することは、前記ピアＵＥと前記第１のＵＥとの間の経路喪失に基づいて、前記第１のメトリックを決定することを備え、
前記第２のメトリックを決定することは、前記基地局と前記第１のＵＥとの間の経路喪失に基づいて、前記第２のメトリックを決定することを備える、発明１に記載の方法。
［発明５］前記第１のメトリックを決定することは、前記ピアＵＥに関する長期的なチャネル利得に基づいて前記第１のメトリックを決定することを備え、
前記第２のメトリックを決定することは、前記基地局に関する長期的なチャネル利得に基づいて前記第２のメトリックを決定することを備える、発明１に記載の方法。
［発明６］前記第１のメトリックを決定することは、前記第１のＵＥにおいて、前記ピアＵＥのキャリア対干渉比（Ｃ／Ｉ）に基づいて前記第１のメトリックを決定することを備え、
前記第２のメトリックを決定することは、前記第１のＵＥにおいて、前記基地局のＣ／Ｉに基づいて前記第２のメトリックを決定することを備える、発明１に記載の方法。
［発明７］前記第１のメトリックを決定することは、前記ピアＵＥに関するチャネル品質に関連する測定に基づいて前記第１のメトリックを決定することを備え、
前記第２のメトリックを決定することは、前記基地局に関するチャネル品質に関連する測定に基づいて前記第２のメトリックを決定することを備える、発明１に記載の方法。
［発明８］前記第１のメトリックまたは前記第２のメトリックは、前記ＷＡＮよりも前記ピアＵＥとの関連付けを好むように選択されたオフセットに基づいて決定される、発明１に記載の方法。
［発明９］前記第１のメトリックまたは前記第２のメトリックは、前記ピアＵＥよりも前記ＷＡＮとの関連付けを好むように選択されたオフセットに基づいて決定される、発明１に記載の方法。
［発明１０］前記ＷＡＮからパラメータを受信することと、
前記ＷＡＮから受信したパラメータに基づいて、前記第１のメトリック、または前記第２のメトリック、またはこれら両方を決定することと、
をさらに備える発明１に記載の方法。
［発明１１］前記ピアＵＥに関する長期的なチャネル利得と、前記基地局に関する長期的なチャネル利得との間の差分を示すチャネル差分を決定することをさらに備え、
前記ピアＵＥと関連付けを行うか、前記ＷＡＮと関連付けを行うかはさらに、前記チャネル差分に基づいて決定される、発明１に記載の方法。
［発明１２］前記第１のメトリックは、前記ピアＵＥと前記第１のＵＥとの間の経路喪失に関連し、
前記第２のメトリックは、前記基地局と前記第１のＵＥとの間の経路喪失に関連し、
前記ピアＵＥと関連付けを行うか、前記ＷＡＮと関連付けを行うかを決定することは、
前記ピアＵＥと前記第１のＵＥとの間の経路喪失が、前記基地局と前記第１のＵＥとの間の経路喪失未満であり、前記チャネル差分がしきい値より大きい場合、前記ピアＵＥと関連付けを行うことと、
前記ピアＵＥとの関連付けが選択されていない場合、前記ＷＡＮと関連付けを行うこととを備える、発明１１に記載の方法。
［発明１３］前記ピアＵＥの長期的なキャリア対干渉比（Ｃ／Ｉ）を決定することと、
前記基地局の長期的なＣ／Ｉを決定することと、
前記ピアＵＥの長期的なＣ／Ｉと前記基地局の長期的なＣ／Ｉとにさらに基づいて、前記ピアＵＥと関連付けを行うか、または前記ＷＡＮと関連付けを行うかを決定することと、
をさらに備える発明１に記載の方法。
［発明１４］前記基地局はマクロ基地局を備える、発明１に記載の方法。
［発明１５］前記基地局は、フェムト基地局、ピコ基地局、および中継局のうちの１つを備える、発明１に記載の方法。
［発明１６］無線通信のための装置であって、
第１のユーザ機器（ＵＥ）よってピアＵＥを発見し、
前記ピアＵＥのための第１のメトリックを決定し、
無線エリア・ネットワーク（ＷＡＮ）における基地局のための第２のメトリックを決定し、
ピア・トゥ・ピア（Ｐ２Ｐ）通信のために前記ピアＵＥと関連付けを行うか、前記基地局を介した通信のために前記ＷＡＮと関連付けを行うかを、前記第１のメトリックおよび前記第２のメトリックに基づいて決定する
ように構成された少なくとも１つのプロセッサと、
前記少なくとも１つのプロセッサに接続され、データを格納するためのメモリと、
を備える装置。
［発明１７］前記少なくとも１つのプロセッサは、
前記ピアＵＥからＰ２Ｐ信号を受信することと、
前記受信したＰ２Ｐ信号の受信電力の測定を行なうことと、
前記測定に基づいて、前記第１のメトリックを決定することと
によって、前記ピアＵＥのための第１のメトリックを決定する、発明１６に記載の装置。
［発明１８］前記少なくとも１つのプロセッサは、前記第１のＵＥにおいて、前記ピアＵＥの受信電力に基づいて、前記第１のメトリックを決定することによって前記第１のメトリックを決定し、
前記少なくとも１つのプロセッサは、前記第１のＵＥにおいて、前記基地局の受信電力に基づいて、前記第２のメトリックを決定することによって前記第２のメトリックを決定する、発明１６に記載の装置。
［発明１９］無線通信のための装置であって、
第１のＵＥによってピア・ユーザ機器（ＵＥ）を発見する手段と、
前記ピアＵＥのための第１のメトリックを決定する手段と、
無線エリア・ネットワーク（ＷＡＮ）における基地局のための第２のメトリックを決定する手段と、
ピア・トゥ・ピア（Ｐ２Ｐ）通信のために前記ピアＵＥと関連付けを行うか、前記基地局を介した通信のために前記ＷＡＮと関連付けを行うかを、前記第１のメトリックおよび前記第２のメトリックに基づいて決定する手段と、
を備える装置。
［発明２０］コンピュータ・プログラム製品であって、
第１のＵＥによってピア・ユーザ機器（ＵＥ）を発見することと、
前記ピアＵＥのための第１のメトリックを決定することと、
無線エリア・ネットワーク（ＷＡＮ）における基地局のための第２のメトリックを決定することと、
ピア・トゥ・ピア（Ｐ２Ｐ）通信のために前記ピアＵＥと関連付けを行うか、前記基地局を介した通信のために前記ＷＡＮと関連付けを行うかを、前記第１のメトリックおよび前記第２のメトリックに基づいて決定することと、
をコンピュータに対して実行させるためのコードを備えるコンピュータ読取可能な媒体を備える、コンピュータ・プログラム製品。
【図１】
0005661943.tif 000003
【図２】
0005661943.tif 000004
【図３】
0005661943.tif 000005
【図４Ａ】
0005661943.tif 000006
【図４Ｂ】
0005661943.tif 000007
【図４Ｃ】
0005661943.tif 000008
【図５】
0005661943.tif 000009
【図６】
0005661943.tif 000010